(57)【要約】【課題】マルチフィルムの左右端部が畝の土中に埋設されずに敷設された圃場において茎葉処理機を用いた茎葉の引抜作業を行う場合、従来の茎葉処理機ではマルチフィルムが機体前部の掻込手段や引抜手段に巻き込まれて作業に支障をきたす場合があった。【解決手段】機体前部の掻込手段２により茎葉を引抜手段３に案内し、該引抜手段により茎葉を圃場から引き抜く茎葉処理機１の機体前部に、圃場に形成された畝に敷設された農業用マルチフィルム５０の左右端部を押さえる端部押さえ手段１０を設けた。【選択図】図１
2005065621.tif 000002
【特許請求の範囲】
【請求項１】
機体前部の掻込手段により茎葉を引抜手段に案内し、該引抜手段により茎葉を圃場から引き抜く茎葉処理機において、
圃場に形成された畝に敷設された農業用マルチフィルムの左右端部を押さえる端部押さえ手段を設けたことを特徴とする茎葉処理機。
【請求項２】
前記端部押さえ手段は車輪を具備することを特徴とする請求項１に記載の茎葉処理機。
【請求項３】
前記車輪は走行輪を兼ねることを特徴とする請求項２に記載の茎葉処理機。
【請求項４】
前記端部押さえ手段の機体の上下高さおよび左右間隔を調整可能としたことを特徴とする請求項１から請求項３までのいずれか一項に記載の茎葉処理機。
【請求項５】
前記端部押さえ手段は付勢手段を具備することを特徴とする請求項１から請求項４までのいずれか一項に記載の茎葉処理機。
【請求項６】
前記端部押さえ手段にウェイトを着脱可能に設けたことを特徴とする請求項１から請求項５までのいずれか一項に記載の茎葉処理機。
【発明の詳細な説明】
【技術分野】
【０００１】
本発明は、ジャガイモ等の茎葉を圃場から引き抜く茎葉処理機の技術に関する。
【背景技術】
【０００２】
従来、収穫前のジャガイモやサツマイモ等の茎葉を、機体前部に設けられた掻込手段により茎葉を引抜手段に案内し、該引抜手段により後方かつ上方に挟持しつつ搬送して引き抜く茎葉処理機の技術は公知となっている。例えば、特許文献１に記載の如くである。
このような茎葉処理機には引抜手段の前下部に押さえローラおよび押さえガイド棒が設けられ、茎葉が畝から突出している根元部分を押さえることにより、地上に露出している茎葉部分のみを引き抜き、ジャガイモやサツマイモ等が圃場表面に引き抜かれないようにしている。
また、圃場に形成された畝には農業用マルチフィルム（以下「マルチフィルム」と略記する）が敷設されており、押さえローラや押さえガイド棒は該マルチフィルムが引抜手段に巻き込まれるのを防止する機能を兼ねている。
【０００３】
【特許文献１】特開２００３−０６１４３０号公報
【発明の開示】
【発明が解決しようとする課題】
【０００４】
マルチフィルムは通常、その左右端部（畝の一番低い部分に対応する端部であり、畝の長手方向に対して略垂直な方向の端部）が畝の両側で土により押さえられた状態で敷設されるが、圃場の生育条件や気候条件によっては、地温制御あるいは湿度制御のためにマルチフィルムの左右端部が畝の両側で押さえられずに（または、畝の長手方向に対して所定間隔毎にスポット状に埋設して）敷設される場合もある。
このような場合にはマルチフィルムを圃場に固定する力が弱く、従来の押さえローラや押さえガイド棒のみでは作業時にマルチフィルムが引抜手段に巻き込まれて作業に支障をきたす場合がある。
【課題を解決するための手段】
【０００５】
本発明の解決しようとする課題は以上の如くであり、次にこの課題を解決するための手段を説明する。
【０００６】
即ち、請求項１においては、機体前部の掻込手段により茎葉を引抜手段に案内し、該引抜手段により茎葉を圃場から引き抜く茎葉処理機において、圃場に形成された畝に敷設された農業用マルチフィルムの左右端部を押さえる端部押さえ手段を設けたものである。
【０００７】
請求項２においては、前記端部押さえ手段は車輪を具備するものである。
【０００８】
請求項３においては、前記車輪は走行輪を兼ねるものである。
【０００９】
請求項４においては、前記端部押さえ手段の機体の上下高さおよび左右間隔を調整可能としたものである。
【００１０】
請求項５においては、前記端部押さえ手段は付勢手段を具備するものである。
【００１１】
請求項６においては、前記端部押さえ手段にウェイトを着脱可能に設けたものである。
【発明の効果】
【００１２】
本発明の効果として、以下に示すような効果を奏する。
【００１３】
請求項１においては、引抜作業時にマルチフィルムを茎葉処理機（より厳密には、掻込手段や引抜手段）に巻き込むことを防止することが可能である。特に、マルチフィルムの左右端部を畝に埋設しない場合に効果が大きい。
【００１４】
請求項２においては、引抜作業時にマルチフィルムを茎葉処理機（より厳密には、掻込手段や引抜手段）に巻き込むことを防止することが可能である。特に、マルチフィルムの左右端部を畝に埋設しない場合に効果が大きい。
【００１５】
請求項３においては、茎葉処理機を移動させる際の労力が小さく、作業性に優れる。
【００１６】
請求項４においては、端部押え部材におけるマルチフィルムとの当接部位を畝の形状（畝の高さおよび左右の幅）に応じて位置調整し、マルチフィルムが掻込手段や引抜手段に巻き込まれることを防止する効果を畝の形状にかかわらず高く保持することが可能である。
【００１７】
請求項５においては、引抜作業時に機体にかかる衝撃を吸収することが可能である。
【００１８】
請求項６においては、端部押さえ手段にかかる荷重を所望の大きさに調整することが容易となる。
【発明を実施するための最良の形態】
【００１９】
以下では、図１を用いて本発明の茎葉処理機の実施の一形態である茎葉処理機１の全体構成について説明する。なお、以下の説明においては図１中の矢印Ａの方向を茎葉処理機１の機体の前方とし、圃場に形成される畝の方向についても茎葉処理機１の前後左右に対応させて記述するものとする（従って、畝の長手方向は前後方向となる）。
また、本発明の茎葉処理機１はジャガイモ等の芋類の地上部分の茎葉を引き抜くためのものであるがこれに限定されず、圃場の地上部分に生えた茎葉を引き抜く用途に広く適用可能である。
【００２０】
茎葉処理機１は圃場に形成された畝に跨る形で畝の長手方向に走行しつつ、畝の地上部分に植生した茎葉を引抜くものであり、主に掻込手段２、引抜手段３、メインフレーム４、ミッションケース５、駆動輪６・６、エンジン７、運転操作部８等で構成される。
【００２１】
掻込手段２は畝の地上部分に育った茎葉を引抜手段３に案内するためのものであり、茎葉処理機１の機体前部に設けられる。掻込手段２は主に左右一対の筐体１１・１１、従動プーリ１２・１２、駆動プーリ１３・１３、掻込ベルト１４・１４等で構成される。
【００２２】
左右一対の筐体１１・１１は正面視で左右中央に隙間を空け、後部が上方に傾斜した姿勢で配置される。筐体１１は従動プーリ１２、駆動プーリ１３、掻込ベルト１４を収容する。筐体１１の前部には従動プーリ１２が回転可能に軸支され、筐体１１の後部には駆動プーリ１３が回転可能に軸支される。掻込ベルト１４は従動プーリ１２、駆動プーリ１３および図示せぬテンションプーリに巻回される。掻込ベルト１４の外周面には突起１４ａ・１４ａ・・・が突設されている。
【００２３】
左右一対の駆動プーリ１３・１３に駆動力が伝達されて掻込ベルト１４が回転駆動されると、掻込ベルト１４に突設された突起１４ａ・１４ａ・・・により、左右の筐体１１・１１の間において茎葉が引き起こされつつ後方に搬送され、掻込手段２の後方に配置された引抜手段３に案内される。
【００２４】
引抜手段３は掻込手段２により受け渡された茎葉を畝から引き抜くためのものであり、掻込手段２の後方に設けられる。引抜手段３は左右一対の前部筐体１５・１５、後部筐体１６・１６、従動プーリ１７・１７、駆動プーリ１８・１８、チェーンケース１９・１９、挟持搬送ベルト２０・２０、駆動軸２１・２１、駆動力伝達部２２等で構成される。
【００２５】
左右一対の前部筐体１５・１５は正面視で左右中央に隙間を空け、後部が上方に傾斜した姿勢で配置される。前部筐体１５は従動プーリ１７、挟持搬送ベルト２０の前半部を収容する。前部筐体１５の前部には従動プーリ１７が回転可能に軸支され、その他図示せぬテンションプーリ等も回転可能に軸支される。なお、従動プーリ１７の回転軸は従動プーリ１７に固設され、上方に延設されて前記掻込手段２の駆動プーリ１３に固設されている。従って従動プーリ１７が挟持搬送ベルト２０により回転すると、その駆動力が掻込手段２に伝達される構成となっている。
また、前部筐体１５の後部には駆動軸２１の一端が回転可能に軸支されている。
【００２６】
左右一対の後部筐体１６・１６は正面視で左右中央に隙間を空け、後部が上方に傾斜した姿勢で配置される。後部筐体１６は駆動プーリ１８、挟持搬送ベルト２０の後半部を収容する。後部筐体１６の前部は前記駆動軸２１に回動可能に枢支されるとともに、後部筐体１６の下面にはチェーンケース１９が設けられる。
チェーンケース１９は後部筐体１６と同じく駆動軸２１を中心として回動可能であり、その内部には図示せぬ一対のスプロケットと該スプロケットに巻回されたチェーンが収容される。該スプロケットの一方は駆動軸２１の中途部に外嵌固定され、他方は後部筐体１６の後部に回転可能に軸支された駆動プーリ１８の回転軸の下端部に外嵌固定される。
【００２７】
挟持搬送ベルト２０は従動プーリ１７、駆動プーリ１８および図示せぬテンションプーリに巻回される。なお、左右一対の挟持搬送ベルト２０・２０は、機体の左右中央に位置する互いに対向する外周面において長尺にわたって当接し、該当接部が機体後方に移動する向きに回転する。
【００２８】
駆動軸２１・２１はエンジン７から駆動力伝達部２２に伝達された駆動力により回転し、引抜手段３（および掻込手段２）を駆動する。
【００２９】
左右一対の駆動軸２１・２１が回転して挟持搬送ベルト２０が回転駆動されると、掻込手段２により挟持搬送ベルト２０・２０の前端部に案内された茎葉が左右対向して配置された挟持搬送ベルト２０・２０の間に挟持され、後方に搬送される。そして、挟持搬送ベルト２０・２０は後部が上方に傾斜しているために茎葉は後方に行くほど上方に引き上げられる形となり、畝から引き抜かれる。
【００３０】
後部筐体１６・１６の後方には茎葉収集板２３が設けられ、茎葉収集板２３の左右端部にはバケット２３ａ・２３ａが機体の左右側方に回動可能に取り付けられる。また、茎葉収集板２３の後端部には後部押さえ板２３ｂが立設される。該バケット２３ａ・２３ａを立てた状態で茎葉収集板２３上に畝から引き抜かれた後の茎葉を収集し、一定量の茎葉を収集した時点で一方のバケット２３ａを機体の側方に回動させ、茎葉を回収する。あるいは、一方のバケット２３ａを機体の側方に回動させたままにしておき、引き抜いた後の茎葉を順次圃場に落下させる場合もある。
【００３１】
メインフレーム４は茎葉処理機１の構造体を成す部材であり、その前端部には駆動力伝達部２２および茎葉収集板２３の前端部が固設され、後端部にはミッションケース５およびエンジン７が固設される。
【００３２】
ミッションケース５はエンジン７から入力された駆動力を変速して、駆動輪６・６および駆動力伝達部２２に分配して出力するものである。なお、ミッションケース５と駆動力伝達部２２との間の駆動力の伝達方法は限定されず、シャフトでも、チェーン、ベルトを用いても良い。
【００３３】
第一チェーンケース２４・２４の一端はミッションケース５に回動可能に枢着され、他端には第二チェーンケース２５・２５の一端が回動可能に枢着される。また、第二チェーンケース２５・２５の他端には駆動輪６・６が回転可能に軸支される。第一チェーンケース２４および第二チェーンケース２５はそれぞれその内部に一対のスプロケットとチェーンを収容し、ミッションケース５からの駆動力を駆動輪６・６に伝達し、駆動輪６・６を回転することが可能である。
また、第二チェーンケース２５はメインフレーム４の前部から下方に突設された固定部材２６に上下高さを調整可能に固定されている。従って、圃場（厳密には圃場に形成された畝の高さ）に応じて茎葉処理機１の車高を調整することが可能である。
【００３４】
運転操作部８は作業者が茎葉処理機１の各種操作を行うためのものであり、主にハンドル２７、駐車ブレーキレバー２８、主クラッチレバー２９、サイドクラッチレバー３０等で構成される。
ハンドル２７はメインフレーム４の中途部から後方に延設された平面視略「コ」字型の部材であり、該ハンドル２７に駐車ブレーキレバー２８、主クラッチレバー２９、サイドクラッチレバー３０等の操作レバー群が設けられる。
【００３５】
以下では、図１から図４を用いて茎葉処理機１前部に設けられたマルチフィルムの端部押さえ手段１０、および端部押さえ手段１０の周囲の詳細構成について説明する。
【００３６】
まず、端部押さえ手段１０の周囲の詳細構成について説明する。
フロントフレーム３１は平面視略「コ」字型に屈曲された筒状部材である。フロントフレーム３１は、その左右端部の長手方向が機体の前方かつ下方を向くように、（引抜手段３の長手方向と略平行となるように）中途部において駆動力伝達部２２の前端部に固設される。フロントフレーム３１の左右端部の外周面にはブラケット３１ａ・３１ａが固設され、該ブラケット３１ａ・３１ａに前記引抜手段３の前部筐体１５・１５が固設される。また、ブラケット３１ａ・３１ａには支持フレーム３２・３２の一端が固設され、支持フレーム３２・３２の他端（前上部）は前記掻込手段２が固設される。
【００３７】
押さえガイド棒３３は棒状（パイプ状）の部材を二箇所で屈曲させたものであり、該屈曲部位を境として基部３３ａ、当接部３３ｂ、案内部３３ｃからなる。
【００３８】
左右対称に形成された一対の押さえガイド棒３３・３３はフロントフレーム３１の前後中途部に設けられる。該押さえガイド棒３３・３３は、掻込手段２により引き起こされつつ後方に搬送されてきた茎葉を確実に引抜手段３に受け渡し、畝の土中に埋まっているジャガイモ等の収穫物が畝の表面に引き出されないように畝の頂部に当接して押さえ、畝の表面に敷設されたマルチフィルムが畝から浮いて引抜手段３に巻き込まれるのを防止するものである。
【００３９】
基部３３ａは押さえガイド棒３３の一端を成す部位であり、その長手方向が機体上下方向と略一致する向きに配置され、基部３３ａの長手方向に摺動可能にフロントフレーム３１の中途部に取り付けられる。
当接部３３ｂは押さえガイド棒３３の中途部を成す部位であり、その長手方向が機体の前後方向と略一致する向きに配置され、畝の頂部に当接する。
案内部３３ｃは押さえガイド棒３３の他端を成す部位であり、その長手方向が機体の左右方向と略一致する向きに配置される。また、案内部３３ｃは引抜手段３の挟持搬送ベルト２０の下方やや後方に配置される。
【００４０】
掻込手段２により引き起こされつつ後方に搬送された茎葉のうち、機体左右方向において機体中央からずれた位置にある茎葉は、案内部３３ａ・３３ａに当接しつつ機体左右中央に案内され、一対の押さえガイド棒３３・３３の当接部３３ｂ・３３ｂの隙間（挟持搬送ベルト２０・２０の当接部の下方）を通過する。このように構成することにより、茎葉が確実に引抜手段３の挟持搬送ベルト２０・２０に挟持され、畝から引き抜かれる。
【００４１】
押さえローラ３４・３４はフロントフレーム３１の中途部に上下方向に高さ調整可能かつ回転可能に設けられた左右一対のローラである。押さえローラ３４・３４は畝の頂部近傍に当接して、畝の土中に埋まっているジャガイモ等の収穫物が畝の表面に引き出されないように畝の頂部に当接して押さえ、畝の表面に敷設されたマルチフィルムが畝から浮いて引抜手段３に巻き込まれるのを防止するものである。
【００４２】
続いて、端部押さえ手段１０について詳細説明する。
端部押さえ手段１０は畝の表面に敷設されるマルチフィルムの左右端部を押さえることにより、茎葉の引抜作業時に掻込手段２や引抜手段３にマルチフィルムが巻き込まれるのを防止するものである。
図３および図４に示す如く、本実施例の場合、端部押さえ手段１０は主に左右一対の車輪３５・３５、車輪軸支部材３６・３６、摺動基部３７・３７、摺動筒３８・３８、支持部材３９・３９等で構成される。
なお、本実施例における端部押え部材１０は左右一対に構成されていることから、以下の説明においては機体左側の端部押さえ手段１０について行い、機体右側の端部押さえ手段１０については説明を省略する。
【００４３】
車輪３５は茎葉処理機１の機体前部左側に配置され、詳しくは、作物を引き抜く始端位置の側方であって掻込手段２の側方に配置されて、スライドフレーム４３よりも内側に配置して、畝に敷設されたマルチフィルム５０の端部（機体左側の車輪３５においてはマルチフィルム５０の左端部）位置を踏むように、または、畝の麓部（畝両側の傾斜が最も小さい部分）に位置するようにしている。そして、車輪３５の下端はスライドフレーム４３よりも下方に位置するように配置し、作業時にマルチフィルム５０端部を踏むことにより、マルチフィルム５０を機体前部の荷重で畝に押さえつけながら外側方へ引っ張りマルチフィルム５０に皺がよらないようにするものである。車輪３５は車輪軸支部材３６の一端に回転可能に軸支され、デバイダ４４の後方に配置され、正面視でデバイダ４４と重複するように配設される。本実施例においては、車輪３５のトー角がトーインとなり、つまり、車輪３５・３５が平面視で「ハ」字状となるように前側が内方向を向くように配設し、前後方向に対して内側の傾斜角度を大きくするほど、マルチフィルム５０を外方向へ引っ張る作用も大きくなる。そして、車輪３５のキャンバー角がポジティブキャンバーとなるように軸支され、つまり、正面視車輪３５の上側が外方向に開くように配設し、畝両側の傾斜面に対して略直角となるように配置している。
【００４４】
このように構成することにより、走行作業（引抜作業）時の茎葉処理機１の直進性が向上するとともに、デバイダ４４及び掻込手段２で茎葉を分けて車輪３５で踏みつけないようにして、傾斜した畝に対して車輪３５を極力垂直に近い角度で当接させることができ、同じ荷重でもマルチフィルム５０を押さえる力を大きくすることが可能である。また、トー角がトーインとなっている左右の車輪３５・３５が走行時に回転することにより、マルチフィルム５０の左右両端は、車輪３５が踏みつけながら外方向へ回転することで、それぞれ外側に引っ張られる形となるため、マルチフィルム５０をより畝に密着させることが可能となり、引抜き時に押さえローラ３４で押さえるときに伸び量が少なくマルチフィルム５０の持ち上がりも小さく押さえることができて引っ掛かりを殆どなくすことができるのである。なお、車輪３５の外周はゴム等滑り難い材質で構成して、マルチフィルム５０上で滑ることなく、マルチフィルム５０をある程度摩擦抵抗で外方向へ引っ張ることができるようにする。
車輪軸支部材３６は円筒部材を中途部で略直角に屈曲させた形状であり、車輪３５が軸支されている部位はその長手方向の前端部で機体前後方向と略一致し、車輪３５が軸支されていない部位はその長手方向が機体上下方向と略一致するように配置される。
車輪軸支部材３６の車輪３５が軸支されていない部位の外周面にはボルトが貫通する孔が複数箇所上下方向に所定間隔を空けて並んで穿設される。車輪軸支部材３６の車輪３５が軸支されていない部位は摺動基部３７に摺動可能に貫装され、摺動基部３７の外周面に穿設された螺孔に螺装されたボルト３７ａが前記車輪軸支部材３６に複数箇所穿設された孔のいずれかに嵌合することにより、車輪３５の機体に対する上下高さを調整可能に構成される。但し、車輪軸支部材３６は摺動基部３７に対して上下高さ及び左右回動角度（トーイン）を同時に調節可能に構成することもできる。
【００４５】
摺動基部３７は断面視六角形の筒状部材である摺動筒３８に固設される。このとき、摺動筒３８の長手方向と摺動基部３７の長手方向とが略直交するように配置される。
【００４６】
支持部材３９は断面視六角形の筒状（または棒状）の部材であり、その長手方向が機体左右方向と略一致する向きに配置される。支持部材３９の一端（機体内側の端部）はフロントフレーム３１の先端部に固設される。
摺動筒３８は支持部材３９に摺動可能かつ相対回転不能に貫装される。また、摺動筒３８の外周面に穿設された螺孔に螺装されたボルト３８ａにより、摺動筒３８を支持部材３９の任意の位置に固定可能である。
【００４７】
このように構成することにより、端部押え部材１０におけるマルチフィルムとの当接部位（本実施例においては、車輪３５）を畝の形状（畝の高さおよび左右の幅）に応じて位置調整し、マルチフィルムが掻込手段２や引抜手段３に巻き込まれることを防止する効果を畝の形状にかかわらず高く保持することが可能である。
なお、マルチフィルムの左右端部を押さえることが可能であれば同様の効果を奏するので、端部押え部材１０を構成する部材は左右一対の車輪３５・３５、車輪軸支部材３６・３６、摺動基部３７・３７、摺動筒３８・３８、支持部材３９・３９に限定されない。
【００４８】
摺動筒３８にはブラケット４０が固設され、該ブラケット４０には長孔４０ａ・４０ｂが穿設される。該長孔４０ａ・４０ｂの長手方向は機体左右方向と略一致している。また、筒状の部材である摺動基部４１には板状のブラケット４２が固設され、該ブラケット４２にはボルト４２ａ・４２ｂが貫装される孔が穿設される。
ボルト４２ａ・４２ｂをそれぞれ長孔４０ａ・４０ｂに貫装してナットに締結することにより、ブラケット４０に対してブラケット４２を機体左右方向に摺動させ、所望の位置で固定することが可能である。
【００４９】
摺動基部４１にはスライドフレーム４３の中途部より突設された摺動部４３ａが摺動可能に貫装され、摺動基部４１の外周面に穿設された螺孔に螺装されたボルト４１ａにより、所望の位置で固定される。スライドフレーム４３は畝の左右方向に拡がって伸びる茎葉を機体中央に寄せるためのデバイダ４４を圃場と当接しない範囲で極力圃場に近い位置に支持する部材である。なお、圃場の凹凸等により機体が傾斜してスライドフレーム４３が圃場と接触した場合でも破損したり走行を阻害することがないように橇状に形成される。
スライドフレーム４３の前端部にはデバイダ４４がスライドフレーム４３に対して上下方向（より厳密には、機体の後方斜め上方）に摺動可能に取り付けられる。
このように構成することにより、端部押さえ手段１０におけるマルチフィルムとの当接部位である車輪３５とは独立して、圃場の状況に応じてスライドフレーム４３の高さや左右スライドフレーム４３・４３の間隔、デバイダ４４の高さ等を調整可能である。
【００５０】
従来の茎葉処理機の場合、機体前部には車輪が無いために、平地（圃場でない場所）において茎葉処理機１を移動させる際には作業者が運転操作部のハンドルを持って下方に荷重をかけた状態（すなわち、機体前部を持ち上げた状態）とする必要があったが、本実施例の茎葉処理機１の場合は車輪３５を機体に対して最も下方まで突出させると平地（圃場でない場所）において茎葉処理機１を移動させる際の前輪（走行輪）として用いることが可能である。言い換えれば、本実施例の茎葉処理機１における車輪３５・３５の下端は、機体前部のフレームを構成するスライドフレーム４３やデバイダ４４等の下端よりも低く配置して、引抜作業時においてマルチフィルムの端部を押さえる機能と、移動走行時における走行輪としての機能と、を兼ねるのである。
従って、茎葉処理機１を移動させる際の労力が小さく、作業性に優れる。
【００５１】
以上の如く、圃場に形成された畝に敷設されたマルチフィルムの左右端部を押さえる端部押さえ手段１０を設けることにより、引抜作業時にマルチフィルムを茎葉処理機に巻き込むことを防止することが可能である。特に、マルチフィルムの左右端部を畝に固定しない場合に効果が大きい。
【００５２】
なお、本実施例では端部押さえ手段１０のマルチフィルムとの当接部位は車輪３５・３５であったが、これに限定しない。ただし、マルチフィルムが破れたりすることを防止するという観点から見れば、橇体により構成することもできるが、車輪やローラ等の回転体や、クローラ（覆帯）が好ましい。
また端部押さえ手段１０に設ける車輪の個数も本実施例の如く左右一個ずつに限定されず、複数個ずつ配置しても良い。
【００５３】
これら端部押え手段１０の形式（車輪、ローラ、覆帯、橇）については、引き抜かれる茎葉の種類（作物の種類）、茎葉処理機１の重量（および前後の重量バランス）、マルチフィルムの材質（強度）や表面性状、畝の形状（高さ、左右幅、傾斜面の傾斜角度）等の条件により適宜選択することが望ましい。
また、前記押さえローラ３４・３４や押さえガイド棒３３・３３と端部押さえ手段１０との荷重の配分についても、引き抜かれる茎葉の種類（作物の種類）、茎葉処理機の重量（および前後の重量バランス）、マルチフィルムの材質（強度）や表面性状、畝の形状（高さ、左右幅、傾斜面の傾斜角度）等の条件により適宜選択することが望ましい。
さらに、端部押え手段１０にかかる荷重に関連して、端部押さえ手段１０がマルチフィルムを押さえる荷重が不足している場合には端部押さえ手段１０に着脱可能なウェイト（錘）を設けてもよい（例えば、車輪３５のホイールにウェイトを取り付けてもよい）。
このように構成することにより、端部押さえ手段１０にかかる荷重を所望の大きさに調整することが容易となる。
【００５４】
さらに、本実施例では車輪３５は機体に対して固定された（車輪と機体との間で車輪に伝わる衝撃を吸収する手段を持たない）形であったが、巻きバネや板バネ、あるいはゴム等の弾性体の如き付勢手段を介装させることも可能である。このように構成することにより、引抜作業時に機体にかかる衝撃を吸収することが可能である。
【図面の簡単な説明】
【００５５】
【図１】茎葉処理機の左側面図。
【図２】茎葉処理機の要部平面図。
【図３】機体左側の端部押さえ手段の斜視図。
【図４】別角度から見た機体左側の端部押さえ手段の斜視図。
【符号の説明】
【００５６】
１    茎葉処理機
２    掻込手段
３    引抜手段
１０  端部押え部材
３５  車輪
【図１】
2005065621.tif 000003
【図２】
2005065621.tif 000004
【図３】
2005065621.tif 000005
【図４】
2005065621.tif 000006